(57)【要約】 【課題】  土砂や石礫等の小径の充填物を充填して使用するふとん篭の側面網に、充填物の漏出を防止するための補助網を、取付金具によって簡単かつ確実に取り付けられるようにする。【解決手段】  菱形金網で矩形の箱形に形成した篭本体２の側面網２ｂに、相対する一対の挟持アーム４ａ，４ｂを有する取付金具４を、該金具の上下端に形成した環４ｃに側面網２ｂの上下の骨線８，８を挿通させることにより取り付け、側面網２ｂより網目の小さい補助網３をこの取付金具４の一対の挟持アーム４ａ，４ａ間に挟持させることにより、該補助網３を上記側面網２ｂの内面に沿って取り付ける。【選択図】        図１
2007070997.tif 000002
【特許請求の範囲】
【請求項１】
金網で矩形の箱形に形成された篭本体と、該篭本体の側面網に沿って取り付けられた網目の小さい補助網と、該補助網を固定するための取付金具とからなり、
上記取付金具が、相対する一対の挟持アームを有していて、篭本体に上記側面網を縦断するように取り付けられ、該取付金具の一対の挟持アーム間に上記補助網が挟持状態に介設されていることを特徴とするふとん篭。
【請求項２】
上記取付金具が、１本の針金を２つに折り曲げることにより形成され、両挟持アームが連なる基端部と各挟持アームの先端部とにそれぞれ環を有し、これらの環に上記側面網の上下縁の骨線を挿通させることにより該篭本体に取り付けられていることを特徴とする請求項１に記載のふとん篭。
【請求項３】
上記篭本体が、扁平螺旋状をした複数の列線からなる菱形金網により形成され、また、上記取付金具が補強用の支持骨を兼ねていて、一方の挟持アームが金網の網目内に挿通されることによって上記列線に係止すると共に、該列線を介して上記補助網に当接し、他方の挟持アームが、網目に非挿通の状態に配置されて上記補助網に直接当接していることを特徴とする請求項１又は２に記載のふとん篭。
【発明の詳細な説明】
【技術分野】
【０００１】
本発明は、宅地造成工事や法面保護工事等の各種土木工事において地盤強化や土留などのために使用するふとん篭に関するものである。
【背景技術】
【０００２】
この種のふとん篭は、一般に、菱形金網や溶接金網等によって矩形の箱形に形成され、内部に栗石や土砂あるいは小径の石礫などを充填して現場に設置される。土砂や石礫等を充填する場合には、それらの粒径が金網の網目より小さいため、外部への流出を防止するため、例えば特許文献１に示すように、網目の小さい補助網を側面の内側に重設するようにしている。
【０００３】
ところが、従来は、上記補助網を現場でふとん篭の側面の内側にあてがい、その状態でパワーショベル等の建設機械を用いて土砂を充填するようにしていたため、充填時の振動や土砂の衝突等によって上記補助網が傾いたり倒れたりすることがあり、充填作業に支障を来すことがあった。補助網の傾倒を防止するため、該補助網の複数箇所を針金でふとん篭に結びつけるようなことも行われていたが、作業に手数と時間とを必要とし、能率が悪かった。
【特許文献１】特許第３２３６８３０号公報
【発明の開示】
【発明が解決しようとする課題】
【０００４】
そこで本発明の目的は、土砂や石礫等の小径の充填物を充填して使用するふとん篭の側面網に、充填物の漏出を防止するための補助網を、取付金具によって簡単かつ確実に取り付けられるようにすることにある。
【課題を解決するための手段】
【０００５】
上記目的を達成するため、本発明のふとん篭は、金網で矩形の箱形に形成された篭本体と、該篭本体の側面網に沿って取り付けられた網目の小さい補助網と、該補助網を固定するための取付金具とからなるもので、該取付金具が、相対する一対の挟持アームを有していて、篭本体に上記側面網を縦断するように取り付けられ、該取付金具の一対の挟持アーム間に上記補助網が挟持状態に介設されていることを特徴とするものである。
【０００６】
本発明において好ましくは、上記取付金具が、１本の針金を２つに折り曲げることにより形成されていて、両挟持アームが連なる基端部と各挟持アームの先端部とにそれぞれ環を有し、これらの環に上記側面網の上下縁の骨線を挿通させることにより該篭本体に取り付けられていることである。
【０００７】
また、本発明においては、上記篭本体が、扁平螺旋状をした複数の列線からなる菱形金網により形成され、また、上記取付金具が補強用の支持骨を兼ねていて、一方の挟持アームが金網の網目内に挿通されることによって上記列線に係止すると共に、該列線を介して上記補助網に当接し、他方の挟持アームが、網目に非挿通の状態に配置されて上記補助網に直接当接していることが望ましい。
【発明の効果】
【０００８】
本発明によれば、一対の挟持アームを有する取付金具をふとん篭に取り付け、この取付金具の挟持アーム間に補助網を挟持状態に介設することにより、該補助網をふとん篭に簡単かつ確実に固定することができる。
【発明を実施するための最良の形態】
【０００９】
図１は本発明に係るふとん篭１の典型的な一つの実施形態を示すものである。このふとん篭１は、金網によって矩形の箱形に形成された篭本体２と、該篭本体２における側面網２ｂの内面に沿って取り付けられた網目の小さい矩形の補助網３と、この補助網３を篭本体２に固定するための取付金具４とで構成されていて、図６に示すように、内部に土砂や石礫などの上記金網の網目より粒径の小さい充填物５を充填し、複数のふとん篭１を前後及び左右に並べたり、上下に段積して設置するものである。この場合、通常は、各ふとん篭１の側面網のうち、法面や道路等に向けて露出する側面網２ｂに、充填物５の漏出を防止するために上記補助網３が取り付けられる。
【００１０】
上記篭本体２は、矩形の底面網２ａと、前後一対の矩形の側面網２ｂ，２ｃと、左右一対の矩形の側面網２ｄ，２ｅと、必要に応じて取り付けられる上面網２ｆとからなっていて、前部の側面網２ｂの内面に上記補助網３が重設されている。これらの底面網２ａと側面網２ｂ，２ｃ，２ｄ，２ｅ及び上面網２ｆは、菱形金網や溶接金網あるいは亀甲金網等で形成することができるが、図示した実施例では菱形金網が使用されている。この菱形金網は、図２及び図３に示すように、金属線条を扁平螺旋形に折曲してなる列線７を折曲部７ａにおいて順次連繋することにより形成されたもので、菱形の網目を有している。
【００１１】
上記底面網２ａと各側面網２ｂ，２ｃ，２ｄ，２ｅ及び上面網２ｆは、それらを全て個別に形成し、互いの境界部分に針金からなる骨線を介在させた状態で相互に連結しても良いが、図示した実施例では、上記底面網２ａと前後の側面網２ｂ，２ｃとを一連の金網により一体に形成し、左右の側面網２ｄ，２ｅは個別に形成して、それらを相互に連結している。この場合、上記底面網２ａと前後の側面網２ｂ，２ｃとの境界部分には、それぞれ骨線８が挿通される。
【００１２】
上記補助網３は、図５に示すように、針金１１にひれ状の合成樹脂被覆１２を施して形成した幅広の線条１０を使用し、この線条１０を経緯に配設して織合したクリンプ網である。しかし、該補助網３の構成はこのようなものに限定されず、土砂や石礫等の充填物の漏出を防止できる程度に網目の細かいものであれば、通常の針金や合成樹脂線条等を縦横格子状に組み合わせて形成した金網や、合成樹脂製のネットあるいは穿孔板など、どのような構成のものであっても良い。
【００１３】
上記取付金具４は、図４に示すように、相対する一対の線状をした挟持アーム４ａ，４ｂを有するもので、１本の針金を２つに折曲することにより形成され、上記両挟持アーム４ａ，４ｂが連なる基端部と各挟持アーム４ａ，４ｂの先端部とに、それぞれ環４ｃが形成されている。上記挟持アーム４ａ，４ｂの長さは、篭本体２の側面網２ｂの高さとほぼ同長である。そして、この取付金具４を、その基端部を下に向けた状態で上記側面網２ｂの一箇所又は複数箇所に該側面網２ｂを上下に縦断するように配設し、下端部の環４ｃに側面網２ｂの下縁の骨線８を挿通させたあと、両挟持アーム４ａ，４ｂ間に上記補助網３を挟持状態に介設して、これら両挟持アーム４ａ，４ｂの先端の環４ｃ，４ｃに側面網２ｂの上縁の骨線８を挿通させることにより、該取付金具４が篭本体２に取り付けられると共に、該取付金具４で上記補助網３が側面網２ｂの内面に沿って重設状態に保持、固定されている。
【００１４】
この場合、図２及び図３に示すように、上記取付金具４の２つの挟持アーム４ａ，４ｂのうち、一方の第１挟持アーム４ａを金網の網目内に挿通させることによって上記列線７に係止させ、他方の第２挟持アーム４ｂは、篭本体２の内部において、網目に非挿通の状態で金網（列線）の外側に位置させることが望ましく、これにより、該取付金具４の篭本体２に対する取り付けがより確実かつ強固なものとなる。このとき、上記第１挟持アーム４ａは列線７を介して補助網３に当接し、他方の第２挟持アーム４ｂは直接補助網３に当接するため、該補助網３は、列線７の一部と共に両挟持アーム４ａ，４ｂ間に挟持されることになる。
【００１５】
しかし、上記両挟持アーム４ａ，４ｂを何れも網目に非挿通の状態で上記環４ｃと骨線８とによって側面網２ｂの内面側に取り付け、両挟持アーム４ａ，４ｂ間に直接補助網３を挟持させても良い。
また、上記取付金具４は、列線７と同等以上の太さあるいは強度を有する線材を用いて形成することにより、上記側面網２ｂの中間部を支える補強用の支持骨としての機能を兼備させることが望ましい。
【００１６】
図中１４は、後部の側面網２ｃの中間位置に取り付けられた補強用の支持骨であって、この支持骨１４は、上記取付金具４の第１挟持アーム４ａと同様に、列線７の網目内に挿通され、上下端の環１４ａに上記側面網２ｃの上下の骨線８を挿通させることによって該側面網２ｃに取り付けられている。
【００１７】
かくして、一対の挟持アーム４ａ，４ｂを有する取付金具４をふとん篭１に取り付け、この取付金具４の挟持アーム４ａ，４ｂ間に上記補助網３を挟持状態に介在させることにより、該補助網３をふとん篭１に簡単かつ確実に固定することができる。
【００１８】
上記取付金具４と補助網３とは、上記ふとん篭１の組立時あるいは側面網２ｂの形成時に該側面網２ｂの上下縁に骨線８，８を挿通する際に、該側面網２ｂに取り付けられているが、他の取付方法として、該取付金具４の基端部の環４ｃと第１挟持アーム４ａの先端部の環４ｃだけに上記骨線８，８を挿通することにより、該取付金具４を篭本体２に、第２挟持アーム４ｂが開閉自在のままの半取付状態に取り付けておき、設置現場で土砂や石礫等を充填する際に、両挟持アーム４ａ，４ｂ間に補助網３を介在させたあと、上記第２挟持アーム４ｂの先端の環４ｃを第１挟持アーム４ａの先端の環４ｃか骨線８に直接あるいは針金等を用いて結合するようにしても良い。
【００１９】
上記実施例では、上記取付金具４が１本の針金を２つに折曲することにより形成されていて、一対の挟持アーム４ａ，４ｂが一体に連なっているが、これらの挟持アーム４ａ，４ｂは互いに分離していても良い。この場合、各挟持アーム４ａ，４ｂの上下端にそれぞれ環４ｃが形成されることになる。また、針金以外の適宜線材を用いて取付金具を形成することもできる。
【００２０】
また、上記実施例では、篭本体２の前部の側面網２ｂに補助網３が重設されているが、この補助網３は、ふとん篭１の設置条件に応じて前後両側面網２ｂ，２ｃに取り付けることもできる。あるいは、前後の側面網２ｂ，２ｃの代わりに左右の側面網２ｄ，２ｅの何れか一方又は両方に取り付けることも、前後及び左右の側面網にそれぞれ取り付けることもできる。
【図面の簡単な説明】
【００２１】
【図１】本発明に係るふとん篭の一実施形態を示す斜視図である。
【図２】図１の要部拡大正面図である。
【図３】図２の側断面図である。
【図４】取付金具の側面図である。
【図５】補助網の部分拡大正面図である。
【図６】本発明に係るふとん篭の設置状態を示す断面図である。
【符号の説明】
【００２２】
１      ふとん篭
２      篭本体
３      補助網
４      取付金具
４ａ，４ｂ      挟持アーム
４ｃ      環
７      列線
８      骨線
【図１】
2007070997.tif 000003
【図２】
2007070997.tif 000004
【図３】
2007070997.tif 000005
【図４】
2007070997.tif 000006
【図５】
2007070997.tif 000007
【図６】
2007070997.tif 000008